(57)【要約】【課題】  配管の設置工事を容易に行えるとともに、断熱性や遮音性にも優れた保護層付き配管材及びその施工方法を提供する。【解決手段】  管体１２の外周を拡張・縮小性を備えた保護部材１３にて覆うとともに、該保護部材１３の外周をカバー体１４で圧縮して保護部材１３の体積を縮小させた状態で覆った保護層付き配管材１１である。前記カバー体１４の内側には長さ方向に、カバー体１４を引き裂くための引き裂き糸１５を挿入しておくこともできる。また、引き裂き糸１５に代えてミシン目等の切断線を設けおくこともできる。設置後にカバー体１４を引き裂くと保護部材１３が復元して管体１２を振動から保護し、断熱性や遮音性も向上する。【選択図】  図１
2006234073.tif 000002
【特許請求の範囲】
【請求項１】
管体の外周を拡張・縮小性を備えた保護部材にて覆うとともに、該保護部材の外周をカバー体で圧縮して保護部材の体積を縮小させた状態で覆ったことを特徴とする保護層付き配管材。
【請求項２】
前記保護部材の外周とカバー体の内周との間に、管体の長手方向に亘ってカバー体の引き裂きを容易にするための引き裂き糸が挿入されていることを特徴とする請求項１記載の保護層付き配管材。
【請求項３】
前記カバー体には、長手方向に亘ってカバー体の引き裂きを容易にするための切断線が設けられていることを特徴とする請求項１記載の保護層付き配管材。
【請求項４】
前記カバー体は、熱収縮性チューブからなることを特徴とする請求項１乃至３のいずれか１項記載の保護層付き配管材。
【請求項５】
請求項１乃至４のいずれか１項記載の保護層付き配管材の施工方法であって、前記保護部材の外周をカバー体で圧縮して保護部材の体積を縮小させた状態で前記保護層付き配管材を設置した後、前記カバー体を前記保護部材の外周から取り除いて前記保護部材を圧縮前の状態近くまで復元させることを特徴とする保護層付き配管材の施工方法。
【発明の詳細な説明】
【技術分野】
【０００１】
本発明は、保護層付き配管材及びその施工方法に関し、例えば、アパート、マンション等の高層建築物や一戸建て木造建築物の床下、壁の隙間、天井裏等の狭い空間に配設される配管材であって、特に、リニューアルを行う際に配管の交換や増設等に用いるのに適した保護層付き配管材及びその施工方法に関する。
【背景技術】
【０００２】
集合住宅や一戸建て木造住宅等の洗面所やトイレ等に接続される給水管や給湯管は、床下の構造物、例えば根太や土台を避けるようにして設置されるとともに、ブラケットやバンド等の適当な固定手段によって固定されている。（例えば、特許文献１参照。）。
【特許文献１】特開平１１−２０１３２２号公報
【発明の開示】
【発明が解決しようとする課題】
【０００３】
しかし、洗面所やトイレ等を新設したり、移設したりするリニューアルを行う際には、これらの設備機器に接続する配管を新たに設置する必要がある。そこで、従来は、配管が通る部分の大部分の床板を剥がして根太や土台を避けるように配管を設置するとともに、適当な位置に配管をブラケットやバンド等で固定した後、必要に応じて配管の外周をグラスウール、テープ等で保護していたが、この施工作業は大掛かりな工事となり、手間が掛かるだけでなく、費用も高額なものとなってしまうという問題があった。
【０００４】
そこで、本発明は、配管の設置工事を容易に行えるとともに、配管施工の際に配管を傷付けることもなく、施工作業が確実に行え、しかも配管施工後は、断熱性や遮音性にも優れた保護層付き配管材及びその施工方法を提供することを目的としている。
【課題を解決するための手段】
【０００５】
上記目的を達成するため、本発明の保護層付き配管材は、管体の外周を拡張・縮小性を備えた保護部材にて覆うとともに、該保護部材の外周をカバー体で圧縮して保護部材の体積を縮小させた状態で覆ったことを特徴としている。前記保護部材の外周とカバー体の内周との間には、管体の長手方向に亘ってカバー体の引き裂きを容易にするための引き裂き糸を挿入しておくとよい。また、前記引き裂き糸に代えて、カバー体の長手方向に亘ってカバー体の引き裂きを容易にするためのミシン目等の切断線を設けおくこともできる。前記カバー体には、熱収縮性チューブを使用することができる。
【０００６】
さらに、本発明の保護層付き配管材の施工方法は、前記保護部材の外周をカバー体で圧縮して保護部材の体積を縮小させた状態で前記保護層付き配管材を設置した後、前記カバー体を前記保護部材の外周から取り除いて前記保護部材を圧縮前の状態近くまで復元させることを特徴としている。
【発明の効果】
【０００７】
本発明の保護層付き配管材によれば、屋内に配管される管体の外周を拡張・縮小性を備えた保護部材にて覆うとともに、該保護部材の外周をカバー体で圧縮するとともに、該保護部材を縮小させた状態で覆っているため、配管施工の際に、スラブと床下の狭い空間や、近接した壁同士の隙間、天井裏等の狭い作業空間に配管材をスムースに通すことができ、施工工期の短縮を図ることができる。このとき、配管材が採石やコンクリートブロック等と接触しても管体が損傷するのを防止できるとともに、衝撃等から管体の破損を確実に防止することができ、作業者が誤って内側の管体を傷つけることもない。
【０００８】
配管の設置作業を行った後は、カバー体を引き裂いて取り除くことにより、保護部材を圧縮前の状態近くまで復元させることができるので、拡張した保護部材で配管材を確実に固定することができる。また、管体の外周を覆う保護部材が断熱材としての機能をも奏するため、管体外周に結露が発生するのを未然に防止することができる。更には、管体の外周を覆う保護部材が遮音材ともなるため、管体内を流れる流水音を遮断して夜間における騒音の発生を防止することができる。
【発明を実施するための最良の形態】
【０００９】
図１は本発明の一形態例を示す保護層付き配管材の断面図、図２はカバー体を引き裂いたときに保護部材が復元して拡張した状態を示す断面図、図３は拡張した保護部材で内側の管体を固定した施工状態の一例を示す概略図である。
【００１０】
この保護層付き配管材１１は、管体１２の外周を拡張・縮小性を備えた保護部材１３で覆うとともに、該保護部材１３の外周をカバー体１４で圧縮するとともに保護部材１３を縮小させた状態で覆ったものである。管体１２は、上水管や下水管或いはガス管等として使用されるものであるが、前記管体１２にはポリエチレンやポリブテン等のオレフィン管や塩ビ管或いは鉛、銅、ステンレス等の金属管、更には適宜素材からなる可撓性を備えた蛇腹管を用いることができる。また、保護部材１３には、綿やグラスウール、スポンジ、ゴム等を発泡させた弾性体等であって、圧縮することによって体積が減少する縮小性と、圧縮力を解放したときに拡張する性質を備えた部材を用いることができる。
【００１１】
前記保護部材１３の外周を覆うカバ―体１４には、ポリオレフィン系、ポリ塩化ビニル系、ポリエステル系等の適度な熱収縮性を有する熱収縮性チューブが好適に使用できる。また、筒状に成形した包装紙を使用することができるが、この筒状の包装紙を使用する場合には、保護部材１３を外周側から圧縮してその体積を縮小させつつ、その外側から包装紙を被せるようにするとよい。更には、短冊状に裁断した長尺の紙片や油紙をカバー体１４として使用することもでき、保護部材１３の外周側から圧縮力を加えつつ長尺の紙片や油紙等をスパイラル状に巻回してもよい。
【００１２】
熱収縮性チューブをカバー体１４として使用する場合には、保護部材１３の外周を熱収縮性チューブで覆ってから熱収縮させ、保護部材１３を圧縮して収縮した状態で被覆するとよい。この一例として、ポリエチレンからなる管体１２の外周をスポンジの保護部材１３で覆い、その外周を塩ビの熱収縮性チューブからなるカバー体１４で覆った保護層付き配管材１１は、管体１２の可撓性が損なわれることがないため、曲げ配管が要求される施工現場での配管作業に使用できる。
【００１３】
このように形成した保護層付き配管材１１は、保護部材１３の外周を覆うカバー体１４を破断して圧縮力を解放すると、その内側の保護部材１３を元の状態に復元させることができる。このため、前記保護部材１３の外周とカバー体１４の内周との間に、管体１２の長手方向に亘ってカバー体１４の引き裂きを容易にするための引き裂き糸１５を長さ方向に挿入しておくことが好ましい。また、この引き裂き糸１５に代えて、施工長が短いものを対象とする配管材には、長手方向に亘ってカバー体１４の引き裂きを容易にするためのミシン目等の切断線を設けておくこともできる。
【００１４】
次に施工方法の一例を説明する。図３の概略断面図に示すように、前記保護層付き配管材１１を用いて建物２１の床下２２に給水配管２３ａや給湯配管２３ｂを設置する際には、まず、給水先である洗面所やトイレ等の設備機器２４を設置する部分に近い配管施工部の床板２５の一部を剥がしたり、適当な大きさの通孔を形成したりする。また、木造住宅等において給水元側は、既設配管の近傍の床板の一部を剥がしてもよいが、通常は、配管施工部に近い位置の基礎や土台２６に設けられている通気口２７等を利用すればよい。
【００１５】
機器２４部分から既存の給水配管までの保護層付き配管材１１の配管施工は、該配管材１１の外周が保護部材１３とカバー体１４によって縮小した状態で被われているため、配線通し器具のような器具を用いることによって容易に行うことができる。また、管体１２が圧縮された保護部材１３及びカバー体１４によって保護されているので、引き通し時に根太や束、土台等に接触しても管体１２が傷付いたり破損したりすることはない。
【００１６】
設置後の保護層付き配管材１１は、カバー体１４で覆ったままの状態としておいても、管体１２を保護し、断熱性や遮音性も期待できるが、前記引き裂き糸１５を引っ張り、熱収縮性チューブからなるカバー体１４を引き裂いて保護部材１３の外周から取り除くことにより、保護部材１３を圧縮前の状態近くまで復元させることもできる。このように保護部材１３を復元させることにより、管体１２を振動等からより確実に保護できるとともに、保護部材１３による断熱性や遮音性も向上できる。
【００１７】
さらに、保護層付き配管材１１を通す通孔の大きさを、カバー体１４の熱収縮性チューブを熱収縮させた状態の保護層付き配管材１１を容易に挿通することができ、挿通後にカバー体１４を引き裂くことによって復元した保護部材１３で隙間を塞ぐことができる大きさに設定することにより、通孔部分の仕上げ作業の簡略化も図れる。
【図面の簡単な説明】
【００１８】
【図１】本発明の一形態例を示す保護層付き配管材の断面図である。
【図２】カバー体を引き裂いて保護部材を復元させた状態を示す断面図である。
【図３】施工状態の一例を示す概略断面図である。
【符号の説明】
【００１９】
１１…保護層付き配管材、１２…管体、１３…保護部材、１４…カバー体、１５…引き裂き糸、２１…建物、２２…床下、２３ａ…給水配管、２３ｂ…給湯配管、２４…設備機器、２５…床板、２６…土台、２７…通気口
【図１】
2006234073.tif 000003
【図２】
2006234073.tif 000004
【図３】
2006234073.tif 000005